(57)【特許請求の範囲】
【請求項１】
水供給部(２０１)と、
上記水供給部(２０１)からの冷水または温水の流れを制御する開閉弁(２５１〜２５８)と、
上記開閉弁(２５１〜２５８)を介して冷水または温水の供給を受けて、温調ゾーンの冷房または暖房を行う熱交換端末(３０１〜３０８)と、
上記熱交換端末(３０１〜３０８)に供給される冷水または温水の水温設定の表示を複数段階のレベル表示で行う表示部(４０２)と、
ユーザが操作する操作部(４０１)と、
制御装置(２２０,２２２０,３２２０,４２２０,５２２０)と
を備え、
上記制御装置(２２０,２２２０,３２２０,４２２０,５２２０)は、
上記操作部(４０１)へのユーザの操作に基づいて、上記冷水または温水の上限水温を設定する上限水温設定部(２２０ａ,２２２０ａ,３２２０ａ,４２２０ａ,５２２０ａ)と、
上記操作部(４０１)へのユーザの操作に基づいて、上記冷水または温水の下限水温を設定する下限水温設定部(２２０ｂ,２２２０ｂ,３２２０ｂ,４２２０ｂ,５２２０ｂ)と、
上記操作部(４０１)へのユーザの操作に応じて、上記レベル表示のレベルが最高レベルになる場合、上記冷水または温水の水温が上記上限水温となるように、上記水供給部(２０１)と上記開閉弁(２５１〜２５８)とのうちの少なくとも一方を制御する上限水温制御部(２２０ｃ)と、
上記操作部(４０１)へのユーザの操作に応じて、上記レベル表示のレベルが最低レベルになる場合、上記冷水または温水の水温が上記下限水温となるように、上記水供給部(２０１)と上記開閉弁(２５１〜２５８)とのうちの少なくとも一方を制御する下限水温制御部(２２０ｄ)と、
上記操作部(４０１)へのユーザの操作に応じて、上記レベル表示のレベルが最高レベルと最低レベルとの間の複数の中間レベルのうちの一つになる場合、上記冷水または温水の水温が、上記上限水温と上記下限水温との間を均等または略均等に分ける複数の中間水温のうちの一つとなるように、上記水供給部(２０１)と上記開閉弁(２５１〜２５８)とのうちの少なくとも一方を制御する中間水温制御部(２２０ｆ)と
を有することを特徴とする温調システム。
【請求項２】
請求項１に記載の温調システムにおいて、
上記操作部(４０１)へのユーザの操作に基づいて、上記熱交換端末(３０１〜３０８)の種類を設定する種類設定部(２２２０ｇ)を備え、
上記上限水温設定部(２２２０ａ)は、上記種類設定部(２２２０ｇ)によって設定された上記熱交換端末(３０１〜３０８)の種類に基づいて、上記上限水温を設定し、
上記下限水温設定部(２２２０ｂ)は、上記種類設定部(２２２０ｇ)によって設定された上記熱交換端末(３０１〜３０８)の種類に基づいて、上記下限水温を設定することを特徴とする温調システム。
【請求項３】
請求項１または２に記載の温調システムにおいて、
上記操作部(４０１)へのユーザの操作に基づいて、上記熱交換端末(３０１〜３０８)の冷房または暖房の運転時間を設定する運転時間設定部(３２２０ｈ)を備え、
上記上限水温設定部(３２２０ａ)は、上記運転時間設定部(３２２０ｈ)に設定された冷房または暖房の運転時間に基づいて、上記上限水温を設定し、
上記下限水温設定部(３２２０ｂ)は、上記運転時間設定部(３２２０ｈ)に設定された冷房または暖房の運転時間に基づいて、上記下限水温を設定することを特徴とする温調システム。
【請求項４】
請求項１から３までのいずれか一項に記載の温調システムにおいて、
上記熱交換端末(３０１〜３０８)は、上記温調ゾーンに面する床に設置される床パネル(３０１〜３０８)であり、
上記操作部(４０１)へのユーザの操作に基づいて、上記床パネル(３０１〜３０８)の敷詰率を設定する敷詰率設定部(４２２０ｉ)を備え、
上記上限水温設定部(４２２０ａ)は、上記敷詰率設定部(４２２０ｉ)によって設定された敷詰率に基づいて、上記上限水温を設定し、
上記下限水温設定部(４２２０ｂ)は、上記敷詰率設定部(４２２０ｉ)によって設定された敷詰率に基づいて、上記下限水温を設定することを特徴とする温調システム。
【請求項５】
請求項１から４までのいずれか一項に記載の温調システムにおいて、
上記操作部(４０１)へのユーザの操作に基づいて、建物の熱損失係数を設定する熱損失係数設定部(５２２０ｊ)を備え、
上記上限水温設定部(５２２０ａ)は、上記熱損失係数設定部(５２２０ｊ)によって設定された熱損失係数に基づいて、上記上限水温を設定し、
上記下限水温設定部(５２２０ｂ)は、上記熱損失係数設定部(５２２０ｊ)によって設定された熱損失係数に基づいて、上記下限水温を設定することを特徴とする温調システム。
【発明の詳細な説明】
【技術分野】
【０００１】
この発明は、温調システムに関し、より詳しくは、温水を利用した暖房運転と、冷水を利用した冷房運転とのうちの少なくとも一方を行う温調システムに関する。
【背景技術】
【０００２】
従来、温調システムとしては、熱交換端末の一例である床暖房パネルの温度を、上限温度から下限温度までの温度範囲で、任意に設定できるものがある(例えば特開昭６１−６２７３２号公報(特許文献１)参照)。
【先行技術文献】
【特許文献】
【０００３】
【特許文献１】特開昭６１−６２７３２号公報
【発明の概要】
【発明が解決しようとする課題】
【０００４】
しかしながら、上記従来の温調システムでは、床暖房パネルの設定温度の表示については考慮されておらず、使い勝手が悪くなる場合があるという問題がある。
【０００５】
より詳しく説明すると、上記床暖房パネルの設定温度は、一般的に、表示部にレベル表示される。このとき、仮に、上記床暖房パネルの上限温度が６０℃に、かつ、床暖房パネルの下限温度が３０℃に設定されていれば、例えば沖縄などの温暖地では、床暖房パネルの上限温度およびその付近の温度は殆ど利用されない。すなわち、上記床暖房パネルが温暖地に設置されたなら、床暖房パネルの下限温度およびその付近の温度の利用だけで済む。
【０００６】
このように、上記床暖房パネルの設定温度が表示部にレベル表示される場合、床暖房パネルの下限温度およびその付近の温度だけを利用したいとき、その下限温度およびその付近の温度に対応するレベル表示の段階数は少なくなる。このため、ユーザが選択するレベル数が少なくなり、その結果、床暖房パネルをきめ細やかに制御することは困難となり、使い勝手が悪くなってしまう。
【０００７】
そこで、この発明の課題は、熱交換端末をきめ細やかに制御でき、使い勝手が良好な温調システムを提供することにある。
【課題を解決するための手段】
【０００８】
上記課題を解決するため、この発明の温調システムは、
水供給部と、
上記水供給部からの冷水または温水の流れを制御する開閉弁と、
上記開閉弁を介して冷水または温水の供給を受けて、温調ゾーンの冷房または暖房を行う熱交換端末と、
上記熱交換端末に供給される冷水または温水の水温設定の表示を複数段階のレベル表示で行う表示部と、
ユーザが操作する操作部と、
制御装置と
を備え、
上記制御装置は、
上記操作部へのユーザの操作に基づいて、上記冷水または温水の上限水温を設定する上限水温設定部と、
上記操作部へのユーザの操作に基づいて、上記冷水または温水の下限水温を設定する下限水温設定部と、
上記操作部へのユーザの操作に応じて、上記レベル表示のレベルが最高レベルになる場合、上記冷水または温水の水温が上記上限水温となるように、上記水供給部と上記開閉弁とのうちの少なくとも一方を制御する上限水温制御部と、
上記操作部へのユーザの操作に応じて、上記レベル表示のレベルが最低レベルになる場合、上記冷水または温水の水温が上記下限水温となるように、上記水供給部と上記開閉弁とのうちの少なくとも一方を制御する下限水温制御部と、
上記操作部へのユーザの操作に応じて、上記レベル表示のレベルが最高レベルと最低レベルとの間の複数の中間レベルのうちの一つになる場合、上記冷水または温水の水温が、上記上限水温と上記下限水温との間を均等または略均等に分ける複数の中間水温のうちの一つとなるように、上記水供給部と上記開閉弁とのうちの少なくとも一方を制御する中間水温制御部と
を有することを特徴としている。
【０００９】
上記構成によれば、ユーザがレベル表示のレベルを最高レベルにすると、上限水温制御部により上限水温に調整された冷水または温水が熱交換端末へ流れる。また、ユーザがレベル表示のレベルを最低レベルにすると、下限水温調整部により下限水温に調整された冷水または温水が熱交換端末へ流れる。そして、ユーザがレベル表示のレベルを中間レベルにすると、中間水温調整部により中間水温に調整された冷水または温水が熱交換端末へ流れる。
【００１０】
このように、上記レベル表示のレベル変更すれば、熱交換端末に流す冷水または温水の水温調整が行われる。このとき、ユーザが操作部を操作することにより、冷水または温水の上限水温および下限水温を上限水温制御部および下限水温制御部で変更できる。したがって、ユーザが必要としないレベルが表示部に表示されないようにして、ユーザが選択できるレベル数を多くすることができる。その結果、上記熱交換端末をきめ細やかに制御でき、使い勝手を良好にできる。
【００１１】
また、上記中間水温は、上限水温と下限水温との間を均等または略均等に分ける複数の中間水温のうちの一つである。したがって、上記温調ゾーンの温度をユーザの希望温度に容易に近づけることができる。すなわち、上記熱交換端末の温調能力の制御性を向上させることができる。
【００１２】
また、ユーザが操作部を操作すれば、上限水温設定部によって、熱交換端末周辺の例えば床の耐熱温度の範囲内に上限水温を入れることができる。したがって、上記床が熱交換端末の熱で変形するのを防ぐことができる。
【００１３】
また、上記熱交換端末を融雪に利用する場合、下限水温設定部によって、融雪に最低限必要な温度に下限温度を合わせることができる。したがって、上記熱交換端末に無駄に熱を供給しなくても、融雪を行える。すなわち、融雪運転を省エネ化できる。
【００１４】
一実施形態の温調システムは、
上記操作部へのユーザの操作に基づいて、上記熱交換端末の種類を設定する種類設定部を備え、
上記上限水温設定部は、上記種類設定部によって設定された上記熱交換端末の種類に基づいて、上記上限水温を設定し、
上記下限水温設定部は、上記種類設定部によって設定された上記熱交換端末の種類に基づいて、上記下限水温を設定する。
【００１５】
上記実施形態によれば、上記種類設定部が熱交換端末の種類が設定されると、熱交換端末に供給される冷水または温水の上限水温および下限水温が決まるので、使い勝手がさらに良好となる。
【００１６】
一実施形態の温調システムは、
上記操作部へのユーザの操作に基づいて、上記熱交換端末の冷房または暖房の運転時間を設定する運転時間設定部を備え、
上記上限水温設定部は、上記運転時間設定部に設定された冷房または暖房の運転時間に基づいて、上記上限水温を設定し、
上記下限水温設定部は、上記運転時間設定部に設定された冷房または暖房の運転時間に基づいて、上記下限水温を設定する。
【００１７】
上記実施形態によれば、上記運転時間設定部が冷房または暖房の運転時間が設定されると、熱交換端末に供給される冷水または温水の上限水温および下限水温が決まるので、使い勝手がさらに良好となる。
【００１８】
一実施形態の温調システムは、
上記熱交換端末は、上記温調ゾーンに面する床に設置される床パネルであり、
上記操作部へのユーザの操作に基づいて、上記床パネルの敷詰率を設定する敷詰率設定部を備え、
上記上限水温設定部は、上記敷詰率設定部によって設定された敷詰率に基づいて、上記上限水温を設定し、
上記下限水温設定部は、上記敷詰率設定部によって設定された敷詰率に基づいて、上記下限水温を設定する。
【００１９】
上記実施形態によれば、上記敷詰率設定部が床パネルの敷詰率が設定されると、熱交換端末に供給される冷水または温水の上限水温および下限水温が決まるので、使い勝手がさらに良好となる。
【００２０】
一実施形態の温調システムは、
上記操作部へのユーザの操作に基づいて、建物の熱損失係数を設定する熱損失係数設定部を備え、
上記上限水温設定部は、上記熱損失係数設定部によって設定された熱損失係数に基づいて、上記上限水温を設定し、
上記下限水温設定部は、上記熱損失係数設定部によって設定された熱損失係数に基づいて、上記下限水温を設定する。
【００２１】
上記実施形態によれば、上記熱損失係数設定部が建物の熱損失係数が設定されると、熱交換端末に供給される冷水または温水の上限水温および下限水温が決まるので、使い勝手がさらに良好となる。
【発明の効果】
【００２２】
以上より明らかなように、この発明は、熱交換端末をきめ細やかに制御することができ、使い勝手を良好にできる。
【図面の簡単な説明】
【００２３】
【図１】この発明の第１実施形態の温調システムの概略構成図である。
【図２】この発明の第１実施形態のリモートコントローラの概略正面図である。
【図３】上記第１実施形態のリモートコントローラの画面表示を説明するための図である。
【図４】上記第１実施形態のリモートコントローラの画面表示を説明するための図である。
【図５】上記第１実施形態のリモートコントローラの冷暖房の水温設定目盛を説明するための図である。
【図６】上記第１実施形態のリモートコントローラの冷暖房の水温設定目盛を説明するための図である。
【図７】上記第１実施形態のリモートコントローラの冷暖房の水温設定目盛を説明するための図である。
【図８】上記第１実施形態のリモートコントローラの水温上下限設定を説明するための図である。
【図９】上記第１実施形態のリモートコントローラの水温上下限設定を説明するための図である。
【図１０】この発明の第２実施形態の温調システムの概略構成図である。
【図１１】この発明の第３実施形態の温調システムの概略構成図である。
【図１２】この発明の第４実施形態の温調システムの概略構成図である。
【図１３】この発明の第５実施形態の温調システムの概略構成図である。
【発明を実施するための形態】
【００２４】
以下、この発明の温調システムを図示の実施の形態により詳細に説明する。
【００２５】
（第１実施形態）
図１は、この発明の第１実施形態の温調システムの概略構成を示す図である。
【００２６】
〔温調システムの全体構成〕
上記温調システムは、室外機１００と、この室外機１００に接続された床冷暖房ユニット２００と、この床冷暖房ユニット２００に接続された第１〜第８床冷暖房パネル３０１〜３０８とを備える。なお、第１〜第８床冷暖房パネル３０１〜３０８は、それぞれ、熱交換端末の一例であり、温調ゾーンに面する床に設置される。なお、第１〜第８床冷暖房パネル３０１〜３０８のそれぞれは、床パネルの一例でもある。
【００２７】
〔室外機１００の構成〕
上記室外機１００は、圧縮機１０１、四路切換弁１０２、室外熱交換器１０３、電動膨張弁１０４およびアキュムレータ１０５を有する。この電動膨張弁１０４の一端側には、室外熱交換器１０３の一端側が接続されている。また、四路切換弁１０２は第１〜第４ポート１０２ａ〜１０２ｄを有する。この第１ポート１０２ａが圧縮機１０１の吐出側に接続されている。第２ポート１０２ｂは室外熱交換器１０３の他端側に接続されている。第３ポート１０２ｃはアキュムレータ１０５を介して圧縮機１０１の吸入側に接続されている。第４ポート１０２ｄは、水供給部の一例としてのプレート式水熱交換器２０１の一端側に接続されている。暖房運転時、第１ポート１０２ａと第４ポート１０２ｄとの間、および、第２ポート１０２ｂと第３ポート１０２ｃとの間が連通する。一方、冷房運転時、第１ポート１０２ａと第２ポート１０２ｂとの間、および、第３ポート１０２ｃと第４ポート１０２ｄとの間が連通する。
【００２８】
また、上記室外機１００は、それぞれが例えばサーミスタからなる第１〜第４冷媒温センサ１０６〜１０９と、例えばサーミスタからなる外気温センサ１１０と、第１〜第４冷媒温センサ１０６〜１０９および外気温センサ１１０が検出した温度を示す信号を受ける室外機用制御装置１２０とを有する。
【００２９】
上記第１冷媒温センサ１０６は、電動膨張弁１０４とプレート式水熱交換器２０１との間の冷媒の温度を検出する。この電動膨張弁１０４の他端側には、プレート式水熱交換器２０１の他端側が接続されている。
【００３０】
上記第２冷媒温センサ１０７は、四路切換弁１０２の第４ポート１０２ｄとプレート式水熱交換器２０１の一端側との間の冷媒の温度を検出する。
【００３１】
上記第３冷媒温センサ１０８は、圧縮機１０１の吐出側と四路切換弁１０２の第１ポート１０２ａとの間の冷媒の温度を検出する。
【００３２】
上記第４冷媒温センサ１０９は、室外熱交換器１０３内の冷媒の温度を検出するために、室外熱交換器１０３に取り付けられている。
【００３３】
上記外気温センサ１１０は、外気の温度を検出するために、室外熱交換器１０３の近傍に配置されている。
【００３４】
上記室外機用制御装置１２０は、インバータ(図示せず)を介して、圧縮機１０１を制御する。この室外機用制御装置１２０は、プレート式水熱交換器２０１の熱交換効率が最適となるように、電動膨張弁１０４も制御する。また、室外機用制御装置１２０は、図示しない信号線を介して、制御装置の一例としての床冷暖房ユニット用制御装置２２０に接続されている。
【００３５】
また、上記室外熱交換器１０３、圧縮機１０１、プレート式水熱交換器２０１および電動膨張弁１０４は、環状に接続されて、それぞれが冷媒回路６０１の一部を構成する。
【００３６】
また、図示しないが、上記室外熱交換器１０３の近傍には室外ファンが配置されている。この室外ファンが室外熱交換器１０３に送風を行う。
【００３７】
〔床冷暖房ユニット２００の構成〕
上記床冷暖房ユニット２００は、プレート式水熱交換器２０１、膨張タンク２０２、循環ポンプ２０３、往きヘッダ２０４および戻りヘッダ２０５を有する。
【００３８】
上記プレート式水熱交換器２０１は、冷媒回路６０１の凝縮器または蒸発器として機能する。すなわち、プレート式水熱交換器２０１は、冷媒回路６０１の冷媒との熱交換を行う。これにより、冷水または温水(以下、「冷温水」と言う)が生成される。また、プレート式水熱交換器２０１には、室外機１００からの冷媒が流れる流路と、第１〜第８床冷暖房パネル３０１〜３０８からの戻り水が流れる流路とが設けられている。
【００３９】
上記膨張タンク２０２は、正負圧弁が付いており、プレート式水熱交換器２０１からの冷温水が溜まる。また、膨張タンク２０２の上部には給水口２０２ａが設けられており、給水口２０２ａから膨張タンク２０２内に水が必要時に補充される。
【００４０】
上記循環ポンプ２０３は、吸入側が膨張タンク２０２に接続されている一方、吐出側が往きヘッダ２０４に接続されている。これにより、循環ポンプ２０３は、プレート式水熱交換器２０１を通過する冷媒と熱交換した冷温水を第１〜第８床冷暖房パネル３０１〜３０８に送ることができるようになっている。
【００４１】
上記往きヘッダ２０４には、第１〜第８熱動弁２５１〜２５８の一端部側と、水抜き栓２５９の一端部側とが接続されている。この第１〜第８熱動弁２５１〜２５８の他端部側には、第１〜第８床冷暖房パネル３０１〜３０８の水入口が接続されている。なお、第１〜第８熱動弁２５１〜２５８は開閉弁の一例である。
【００４２】
上記第１〜第８熱動弁２５１〜２５８は、冷温水の流れを制御する。より詳しくは、第１〜第８熱動弁２５１〜２５８は、床冷暖房ユニット用制御装置２２０によって制御され、第１〜第８床冷暖房パネル３０１〜３０８の設定温度に対応する開閉動作を行う。
【００４３】
上記戻りヘッダ２０５には、第１〜第８床冷暖房パネル３０１〜３０８の水出口が接続されている。これにより、第１〜第８床冷暖房パネル３０１〜３０８の冷温水が、床冷暖房ユニット２００に戻り、水回路２１１を循環できるようになっている。
【００４４】
また、上記床冷暖房ユニット２００は、例えばサーミスタからなる第１,第２水温センサ２１２，２１３と、例えばサーミスタからなる冷媒温センサ２１４と、冷媒圧センサ２１５と、床冷暖房ユニット用制御装置２２０とを有する。
【００４５】
上記第１水温センサ２１２は、膨張タンク２０２から往きヘッダ２０４へ向かって流れる冷温水の温度を検出し、この温度を示す信号を床冷暖房ユニット用制御装置２２０に送出する。
【００４６】
上記第２水温センサ２１３は、戻りヘッダ２０５からプレート式水熱交換器２０１へ向かって流れる冷温水の温度を検出し、この温度を示す信号を床冷暖房ユニット用制御装置２２０に送出する。
【００４７】
上記冷媒温センサ２１４は、プレート式水熱交換器２０１の他端側の近傍に配置されている。この冷媒温センサ２１４は、電動膨張弁１０４とプレート式水熱交換器２０１の間の冷媒の温度を検出し、この温度を示す信号を床冷暖房ユニット用制御装置２２０に送出する。
【００４８】
上記冷媒圧センサ２１５は、プレート式水熱交換器２０１の一端側の近傍に配置されている。また、冷媒圧センサ２１５は、四路切換弁１０２の第４ポート１０２ｄとプレート式水熱交換器２０１の一端側との間の冷媒の圧力を検出し、この圧力を示す信号を床冷暖房ユニット用制御装置２２０に送出する。
【００４９】
上記床冷暖房ユニット用制御装置２２０は、リモートコントローラ４００(図２に示す)から、第１〜第８床冷暖房パネル３０１〜３０８に供給する冷温水の温度を示す信号を受信する。また、床冷暖房ユニット用制御装置２２０は、リモートコントローラ４００からの信号などに基づいて、循環ポンプ２０３と第１〜第８熱動弁２５１〜２５８とのうちの少なくとも一方を制御する。
【００５０】
〔第１〜第８床冷暖房パネル３０１〜３０８の構成〕
上記第１〜第８床冷暖房パネル３０１〜３０８は、第１〜第８熱動弁２５１〜２５８を介して、冷温水の供給を受けて、温調ゾーンの冷暖房を行う。より詳しくは、第１〜第８床冷暖房パネル３０１〜３０８は、蛇行形状に形成された第１〜第８水循環パイプ３１１〜３１８を有する。この第１〜第８水循環パイプ３１１〜３１８内には、プレート式水熱交換器２０１からの冷温水が流れる。また、第１〜第８水循環パイプ３１１〜３１８の上流側の端部が、第１〜第８床冷暖房パネル３０１〜３０８の水入口を形成する。また、第１〜第８水循環パイプ３１１〜３１８の下流側の端部が、第１〜第８床冷暖房パネル３０１〜３０８の水出口を形成する。ここで、上記温調ゾーンとは、第１〜第８水循環パイプ３１１〜３１８から温熱または冷熱が供給される空間または物体を指す。
【００５１】
図２は上記リモートコントローラ４００の概略正面図である。
【００５２】
上記リモートコントローラ４００は、操作部４０１と、この操作部４０１上に設けられて、第１〜第８床冷暖房パネル３０１〜３０８に供給される冷温水の水温設定の表示を複数段階のレベル表示で行う表示部４０２とを備える。
【００５３】
上記操作部４０１は、ゾーン選択ボタン４１１、表示切替ボタン４１２、運転／停止ボタン４１３、戻るボタン４１４、メニュー／決定ボタン４１５、上ボタン４１６、下ボタン４１７、右ボタン４１８および左ボタン４１９を有する。ユーザが、ゾーン選択ボタン４１１、表示切替ボタン４１２、…および左ボタン４１９を操作すると、この操作に対応する操作信号が床冷暖房ユニット用制御装置２２０へ出力される。すなわち、床冷暖房ユニット用制御装置２２０は、操作部４０１から、ユーザの操作に対応する操作信号を受信する。
【００５４】
上記表示部４０２は、図３,図４に示すように、第１画面４０３と第２画面４０４を切り替えて表示することが可能である。この第１画面４０３には、中央の主要領域が縦方向に４分割されて、第１表示領域４３１、第２表示領域４３２、第３表示領域４３３および第４表示領域４３４が設けられている。一方、第２画面４０４にも、第１画面４０３と同様に中央の主要領域が縦方向に４分割されて、第５表示領域４３５、第６表示領域４３６、第７表示領域４３７および第８表示領域４３８が設けられている。この第１〜第８表示領域４３１〜４３８のそれぞれには、少なくとも、制御グループを示すアルファベットと、運転または停止の漢字と、第１〜第８床冷暖房パネル３０１〜３０８へ流す冷温水の温度に対応する目盛の図形とが表示される。
【００５５】
より詳しくは、図３の第１画面４０３では、第１床冷暖房パネル３０１が制御グループ「Ａ」に属し、第２床冷暖房パネル３０２が制御グループ「Ｂ」に属し、第３床冷暖房パネル３０３が制御グループ「Ｃ」に属し、第４床冷暖房パネル３０４が制御グループ「Ｄ」に属するように、設定されている。また、図４の第２画面４０４では、第５床冷暖房パネル３０５が制御グループ「Ｅ」に属し、第６床冷暖房パネル３０６が制御グループ「Ｆ」に属し、第７床冷暖房パネル３０７が制御グループ「Ｇ」に属し、第８床冷暖房パネル３０８が制御グループ「Ｈ」に属するように、設定されている。
【００５６】
下表１には、上記第１〜第８床冷暖房パネル３０１〜３０８と制御グループ「Ａ」〜「Ｈ」との関係を示している。ここで、「Ｐ１」は第１床冷暖房パネル３０１に対応し、「Ｐ２」は第２床冷暖房パネル３０２に対応し、「Ｐ３」は第３床冷暖房パネル３０３に対応し、「Ｐ４」は第４床冷暖房パネル３０４に対応し、「Ｐ５」は第５床冷暖房パネル３０５に対応し、「Ｐ６」は第６床冷暖房パネル３０６に対応し、「Ｐ７」は第７床冷暖房パネル３０７に対応し、「Ｐ８」は第８床冷暖房パネル３０８に対応する。
【００５７】
【表１】
0005999169.tif 000002
【００５８】
この表１の制御グループ「Ａ」〜「Ｈ」は、リモートコントローラ４００の上ボタン４１６,下ボタン４１７,右ボタン４１８および左ボタン４１９などの操作で変更可能になっている。例えば、「Ｐ２」下の「Ｂ」を「Ａ」に変更すると、第１,第２床冷暖房パネル３０１,３０２が制御グループＡに属するように設定することが可能である。
【００５９】
また、上記第１〜第８表示領域４３１〜４３８には、温調ゾーンの名称が表示されている。この温調ゾーンの名称は、制御グループに属する床冷暖房パネルで冷暖房される温調ゾーンの名称である。例えば、第１表示領域４３１の「１Ｆリビング１」は、第１床冷暖房パネル３０１で温調される温調ゾーンの名称を示している。
【００６０】
また、上記第１〜第８表示領域４３１〜４３８において、「運転」は床冷暖房パネルが運転中であることを示す一方、「停止」は床冷暖房パネルが停止中であることを示す。例えば、第３表示領域４３３の「停止」は第３床冷暖房パネル３０３が停止中で冷暖房を行っていないことを示している。
【００６１】
また、上記第３,第４表示領域４３３,４３４では、タイマー運転が設定されていることを時計の図形で示している。すなわち、第３,第４床冷暖房パネル３０３,３０４は、ユーザーが設定した時間に冷暖房を行うようになっている。
【００６２】
また、上記第１〜第８表示領域４３８には、第１〜第８床冷暖房パネル３０１〜３０８の運転モードが「エコ」や「快適」などの文字で示される。
【００６３】
また、上記第１〜第８表示領域４３１〜４３８では、第１〜第８床冷暖房パネル３０１〜３０８へ流す冷温水の水温を設定する水温設定目盛の図形５０１〜５０８が表示されている。例えば、第１表示領域４３１の図形５０１は、冷暖房運転時、第１床冷暖房パネル３０１へ流す冷温水の水温が上限水温となる設定であることを示す。また、第４表示領域４３４の図形５０４は、冷暖房運転時、第１床冷暖房パネル３０４へ流す冷温水の水温が下限水温となる設定であることを示す。別の言い方をすれば、図形５０１が表示されている場合、暖房運転時、第１床冷暖房パネル３０１の暖房能力が最大となる一方、冷房運転時、第１床冷暖房パネル３０１の冷房能力が最小となる。また、図形５０４が表示されている場合、暖房運転時、第４床冷暖房パネル３０４の暖房能力が最小となる一方、冷房運転時、第４床冷暖房パネルＰ４の冷房能力が最大となる。なお、図形５０１〜５０８の表示が複数段階のレベル表示の一例である。
【００６４】
また、図１に示す床冷暖房ユニット用制御装置２２０は、マイクロコンピュータおよび入出力回路などからなり、上限水温設定部２２０ａ、下限水温設定部２２０ｂ、上限水温制御部２２０ｃ、下限水温制御部２２０ｄ、中間水温設定部２２０ｅおよび中間水温制御部２２０ｆを備える。この上限水温設定部２２０ａ、下限水温設定部２２０ｂ、上限水温制御部２２０ｃ、下限水温制御部２２０ｄ、中間水温設定部２２０ｅおよび中間水温制御部２２０ｆは、それぞれ、ソフトウェアから成る。
【００６５】
上記上限水温設定部２２０ａは、操作部４０１から出力された操作信号に基づいて、第１〜第８床冷暖房パネル３０１〜３０８へ流す冷温水の上限水温を設定する。
【００６６】
上記下限水温設定部２２０ｂは、操作部４０１から出力された操作信号に基づいて、第１〜第８床冷暖房パネル３０１〜３０８へ流す冷温水の下限水温を設定する。
【００６７】
上記上限水温制御部２２０ｃは、図形５０１〜５０８が最大目盛を示す場合、第１〜第８床冷暖房パネル３０１〜３０８へ流す冷温水の水温が上記上限水温となるように、プレート式水熱交換器２０１および第１〜第８熱動弁２５１〜２５８を制御する。
【００６８】
上記下限水温制御部２２０ｄは、図形５０１〜５０８が最小目盛を示す場合、第１〜第８床冷暖房パネル３０１〜３０８に流す冷温水の水温が上記下限水温となるように、プレート式水熱交換器２０１および第１〜第８熱動弁２５１〜２５８を制御する。
【００６９】
上記中間水温設定部２２０ｅは、操作部４０１へのユーザの操作に応じて、図形５０１〜５０８の目盛が一つ上がり下がりする場合、第１〜第８床冷暖房パネル３０１〜３０８へ流す冷温水の水温変化量が均等または略均等となるように、複数の中間水温を設定する。ここで、上記中間水温は、上限水温よりも低く、かつ、下限水温よりも高い水温である。
【００７０】
上記中間水温制御部２２０ｆは、図形５０１〜５０８が最大目盛および最小目盛以外の中間目盛を示す場合、第１〜第８床冷暖房パネル３０１〜３０８へ流す冷温水の水温が上記中間水温となるように、プレート式水熱交換器２０１および第１〜第８熱動弁２５１〜２５８を制御する。すなわち、その場合、第１〜第８床冷暖房パネル３０１〜３０８へ流す冷温水の水温は、上記上限水温と上記下限水温との間を均等または略均等に分ける複数の中間水温のうちの一つになる。
【００７１】
次に、上記表示部４０２の冷温水の水温設定目盛について説明する。
【００７２】
図５に示すように、冷温水の水温設定目盛は、左側から右側に向かって徐々に高くなる９つの棒状の目盛Ｍ１〜Ｍ９が階段状に配置されている。このように、目盛Ｍ１〜Ｍ９が全て表示されているときは、目盛Ｍ１〜Ｍ９の表示に対応する床冷暖房パネルに流す冷温水の温度が上限水温に設定される。
【００７３】
また、図６に示すように、目盛Ｍ１〜Ｍ５だけが表示されているときは、目盛Ｍ１〜Ｍ５の表示に対応する床冷暖房パネルに流す冷温水の温度が中間水温に設定される。
【００７４】
また、図７に示すように、目盛Ｍ１だけが表示されているときは、この目盛Ｍ１の表示に対応する床冷暖房パネルに流す冷温水の温度が下限水温に設定される。
【００７５】
すなわち、上記表示部４０２のレベル表示のレベルが最高レベルであるとき、このレベル表示に対応する床冷暖房パネルには上限温度の冷温水が流れるようになる。また、表示部４０２のレベル表示のレベルが最低レベルであるとき、このレベル表示に対応する床冷暖房パネルには下限温度の冷温水が流れるようになる。そして、表示部４０２のレベル表示のレベルが中間レベルであるとき、このレベル表示に対応する床冷暖房パネルには中間温度の冷温水が流れるようになる。
【００７６】
次に、上記目盛Ｍ１〜Ｍ９の表示の変更方法について説明する。
【００７７】
上記表示部４０２が、図３に示すように、第１画面４０３を表示している場合、ユーザがゾーン選択ボタン４１１を押すと、第１表示領域４３１の「Ａ」が、反転表示される。このとき、ユーザが上ボタン４１６または下ボタン４１７を押すと、「Ｂ」、「Ｃ」および「Ｄ」が順次反転表示される。
【００７８】
また、上記表示部４０２が、図４に示すように、第２画面４０４を表示している場合、「Ａ」、「Ｂ」、「Ｃ」および「Ｄ」と同様に、ユーザがゾーン選択ボタン４１１、上ボタン４１６および下ボタン４１７を操作すると、「Ｅ」、「Ｆ」、「Ｇ」および「Ｈ」が反転表示される。
【００７９】
このように、上記第１〜第８表示領域４３１〜４３８の「Ａ」〜「Ｈ」のうちの１つの表示が反転表示にした後、ユーザが上ボタン４１６を１回押すと、反転表示のアルファベットに対応する図形の目盛が１つ増える一方、下ボタン４１７を１回押すと、反転表示のアルファベットに対応する図形の目盛が１つ減る。但し、目盛Ｍ１〜Ｍ９が全て表示されているとき、上ボタン４１６を押しても、目盛Ｍ１〜Ｍ９の表示は変化しない。また、目盛Ｍ１だけが表示されているとき、下ボタン４１７を押しても、目盛Ｍ１の表示は変化しない。
【００８０】
次に、上記第１〜第８床冷暖房パネル３０１〜３０８へ流す冷温水の上限水温および下限水温を設定する方法について説明する。
【００８１】
まず、上記表示切替ボタン４１２、…、右ボタン４１８および左ボタン４１９に所定の操作を行うと、図８に示すように、表示部４０２が現地設定画面４０５を表示する。
【００８２】
そして、上記右ボタン４１８および左ボタン４１９を操作して、「水温上下限設定」を反転表示させた後、メニュー／決定ボタン４１５を押すと、図９に示すように、表示部４０２が水温上下限設定画面４０６を表示する。
【００８３】
このように、上記表示部４０２に水温上下限設定画面４０６を表示させた後、上記冷温水の上限水温を設定する場合、右ボタン４１８および左ボタン４１９を操作して、「水温上下限設定」の右横の「切」を反転表示させた後、上ボタン４１６および下ボタン４１７を操作して、「切」を「入」に変更する。そして、「運転時水温上限」の右側に表示される「６０」を反転表示させた後、上ボタン４１６および下ボタン４１７を操作することで、「６０」を所望温度に変更して、メニュー／決定ボタン４１５を押すと、上記冷温水の上限水温が所望温度となる。このとき、上記冷温水の上限水温は、上ボタン４１６および下ボタン４１７の操作で、例えば２６℃〜６０℃の範囲内から選択できるようになっている。
【００８４】
一方、上記冷温水の下限水温を設定する場合、上記冷温水の上限水温の設定の場合と同様の操作を行って、「水温上下限設定」の右横の表示を「入」にする。引き続き、「運転時水温下限」の右側に表示される「２５」を反転表示させた後、上ボタン４１６および下ボタン４１７を操作することで、「２５」を所望温度に変更して、メニュー／決定ボタン４１５を押すと、上記冷温水の下限水温が所望温度となる。このとき、上記冷温水の下限水温は、上ボタン４１６および下ボタン４１７の操作で、例えば１０℃〜２５℃の範囲内から選択できるようになっている。
【００８５】
仮に、上記上限水温を６０℃に設定し、かつ、上記下限水温を２０℃に設定した場合、表示部４０２が、図５に示すように、９つの棒状の目盛Ｍ１〜Ｍ９の全てを表示するとき、上限水温制御部２２０ｃが、第１〜第８床冷暖房パネル３０１〜３０８へ流す冷温水の水温が６０℃となるように、プレート式水熱交換器２０１および第１〜第８熱動弁２５１〜２５８を制御する。
【００８６】
また、その場合、表示部４０２が、図７に示すように、１つの棒状の目盛Ｍ１だけを表示するときは、下限水温制御部２２０ｄが、第１〜第８床冷暖房パネル３０１〜３０８へ流す冷温水の水温が２０℃となるように、プレート式水熱交換器２０１および第１〜第８熱動弁２５１〜２５８を制御する。
【００８７】
また、その場合、表示部４０２が、図６に示すように、５つの棒状の目盛Ｍ１〜Ｍ５だけを表示するときは、中間水温制御部２２０ｆが、第１〜第８床冷暖房パネル３０１〜３０８へ流す冷温水の水温が４０℃となるように、プレート式水熱交換器２０１および第１〜第８熱動弁２５１〜２５８を制御する。
【００８８】
図示しないが、その場合、上記冷温水の水温は、２つの棒状の目盛Ｍ１,Ｍ２だけの表示なら、２５℃となるように、また、３つの棒状の目盛Ｍ１〜Ｍ３だけの表示なら、３０℃となるように、また、４つの棒状の目盛Ｍ１〜Ｍ４だけの表示なら、３５℃となるように、６つの棒状の目盛Ｍ１〜Ｍ６だけの表示なら、４５℃となるように、また、７つの棒状の目盛Ｍ１〜Ｍ７だけなら、５０℃となるように、また、８つの棒状の目盛Ｍ１〜Ｍ８だけなら、５５℃となるようになっている。
【００８９】
すなわち、仮に、上記上限水温を６０℃に設定し、かつ、上記下限水温を２０℃に設定した場合、目盛Ｍ１〜Ｍ９の表示と冷温水の水温との関係は、下表２に示すようになる。
【００９０】
【表２】
0005999169.tif 000003
【００９１】
上記表２では、図形５０１〜５０８の目盛を一つ上げ下げした場合、冷温水の水温変化量が均等となるようになっているが、上限水温および下限水温の設定によっては、冷温水の水温変化量が略均等となるようになっている。
【００９２】
なお、上記表２のようになる場合、６０℃が上限水温の一例、２０℃が下限水温の一例、２５℃、３０℃、３５℃、４０℃、４５℃、５０℃および５５℃は中間水温の一例である。
【００９３】
上記構成の温調システムによれば、ユーザが図形５０１〜５０８の目盛表示数を変更すると、第１〜第８床冷暖房パネル３０１〜３０８に流す冷温水の設定が変更される。このとき、ユーザは上記冷水温の上限水温および下限水温を所望温度に設定できるので、図形５０１〜５０８の目盛表示が、不必要な水温に対応する目盛表示を含まないようにすることができる。したがって、ユーザが選択できる目盛表示数を多くすることができるので、第１〜第８床冷暖房パネル３０１〜３０８をきめ細やかに制御でき、使い勝手を良好にできる。
【００９４】
また、上記図形５０１〜５０８の目盛表示数が２つ、３つ、４つ、５つ、６つ、７つまたは８つである場合、第１〜第８床冷暖房パネル３０１〜３０８に流す冷温水の温度が中間水温となる。この各中間水温は、上限水温と下限水温との間を均等または略均等に分ける複数の中間水温のうちの一つである。したがって、上記温調ゾーンの温度をユーザの希望温度に容易に近づけることができる。すなわち、第１〜第８床冷暖房パネル３０１〜３０８の温調能力の制御性を向上させることができる
また、上記第１〜第８床冷暖房パネル３０１〜３０８が設置される床が木材から成る場合、上限水温制御部２２０ｃによって、上記床の耐熱温度の範囲内に上限水温を入れることができる。したがって、上記床が第１〜第８床冷暖房パネル３０１〜３０８の熱で変形するのを防ぐことができる。
【００９５】
また、上記第１〜第８床冷暖房パネル３０１〜３０８を融雪に利用する場合、下限水温制御部２２０ｄによって、融雪に最低限必要な温度に下限温度を合わせることができる。したがって、第１〜第８床冷暖房パネル３０１〜３０８に無駄に熱を供給しなくても、融雪を行える。すなわち、融雪運転を省エネ化できる。
【００９６】
上記第１実施形態では、暖房運転と冷房運転を行う温調システムについて説明したが、暖房運転または冷房運転のいずれか一方のみを行う温調システムにこの発明を適用してもよい。例えば、上記第１実施形態の温調システムを暖房運転のみを行うようにする場合、プレート式水熱交換器２０１の換わりに、例えばボイラを用いてもよい。また、上記第１実施形態の温調システムを冷房運転のみを行うようにする場合、プレート式水熱交換器２０１の換わりに、例えば蓄氷型冷水装置を用いてもよい。
【００９７】
上記第１実施形態では、図形５０１〜５０８の目盛数は、９つであったが、９つ以外の複数にしてもよい。このようにする場合、第１〜第８床冷暖房パネル３０１〜３０８の温調能力の制御性を向上させる観点上、図形５０１〜５０８の目盛数は、４つ以上とするのが好ましい。
【００９８】
上記第１実施形態では、第１〜第８床冷暖房パネル３０１〜３０８へ流す冷温水の水温設定の表示は、棒状の目盛を用いて行われていたが、例えば、扇状の目盛を用いて行われるようにしてもよい。あるいは、上記冷温水の水温設定の表示は、「Ｌｖ１」、…、「Ｌｖ９」などの表示を用いて行われるようにしてもよい。
【００９９】
上記第１実施形態では、上限水温設定部２２０ａ、下限水温設定部２２０ｂ、上限水温制御部２２０ｃ、下限水温制御部２２０ｄ、中間水温設定部２２０ｅおよび中間水温制御部２２０ｆは、全てがソフトウェアで構成されていたが、少なくとも一つがハードウェアで構成されるようにしてもよい。
【０１００】
上記第１実施形態では、第１〜第８床冷暖房パネル３０１〜３０８へ流す冷温水の水温を調整するために、プレート式水熱交換器２０１と第１〜第８熱動弁２５１〜２５８の両方が制御されるようになっていたが、プレート式水熱交換器２０１と第１〜第８熱動弁２５１〜２５８のうちの一方だけが制御されるようにしてもよい。
【０１０１】
上記第１実施形態では、床冷暖房ユニット２００の水熱交換器２０１にプレート式水熱交換器を用いたが、二重管式水熱交換器などの他の水熱交換器を用いてもよい。
【０１０２】
上記第１実施形態において、冷媒圧センサ２１５の代わりに、圧力スイッチを設けてもよい。
【０１０３】
上記第１実施形態では、室外機１００の冷媒回路に、膨張機構の一例としての電動膨張弁１０４を設けていたが、膨張機構の一例としてのキャピラリチューブなどを設けてもよい。
【０１０４】
上記第１実施形態において、第１〜第８床冷暖房パネル３０１〜３０８のうちの少なくとも一つを、天井冷暖房パネル、天井冷房パネル、天井暖房パネル、壁冷暖房パネル、壁冷房パネル、壁暖房パネル、室内設置型ラジエータなどの熱交換端末に換えてもよい。
【０１０５】
上記第１実施形態において、室外機用制御装置１２０と床冷暖房ユニット用制御装置２２０の間の通信は、有線で行ってもよいし、無線で行ってもよい。
【０１０６】
上記第１実施形態では、温調システムは、開閉弁の一例としての第１〜第８熱動弁２５１〜２５８を備えていたが、開閉弁の一例としての電磁弁などの他の開閉機構を備えてもよい。
【０１０７】
上記第１実施形態では、温調システムは、８つの第１〜第８床冷暖房パネル３０１〜３０８を備えていたが、例えば、第１〜第８床冷暖房パネル３０１〜３０８のうちの１つだけを備えるようにしてもよい。すなわち、温調システムの床暖房パネルの数は、単数でもあってもよいし、複数であってもよい。
【０１０８】
（第２実施形態）
図１０は、この発明の第２実施形態の温調システムの概略構成を示す図である。この図１０では、上記第１実施形態の構成部と同一構成部に、上記第１実施形態の構成部の参照番号と同一参照番号を付している。また、以下の説明でも、上記第１実施形態の構成部と同一構成部に、上記第１実施形態の構成部の参照番号と同一参照番号を付している。
【０１０９】
上記温調システムは床冷暖ユニット２２００を備えている。この床冷暖ユニット２２００は、制御装置の一例としての床冷暖房ユニット用制御装置２２２０を有している点が、上記第１実施形態とは異なる。
【０１１０】
より詳しくは、上記床冷暖房ユニット用制御装置２２２０は、マイクロコンピュータおよび入出力回路などからなり、上限水温設定部２２２０ａと、下限水温設定部２２２０ｂと、上限水温制御部２２０ｃと、下限水温制御部２２０ｄと、中間水温設定部２２０ｅと、中間水温制御部２２０ｆと、種類設定部の一例としてのパネル種類設定部２２２０ｇとを備えている。この上限水温設定部２２２０ａ、下限水温設定部２２２０ｂおよびパネル種類設定部２２２０ｇは、それぞれ、ソフトウェアで構成されている。
【０１１１】
また、上記温調システムでは、ユーザが表示切替ボタン４１２、…、右ボタン４１８および左ボタン４１９に所定の操作を行うと、第１〜第８床冷暖房パネル３０１〜３０８の種類を示す選択肢(例えば、「タイプ１」、「タイプ２」、「タイプ３」、「タイプ４」)が表示部４０２に複数表示される。このとき、ユーザが、メニュー／決定ボタン４１５、上ボタン４１６、下ボタン４１７、右ボタン４１８および左ボタン４１９を操作して、上記複数の選択肢の中から一つを選択すると、第１〜第８床冷暖房パネル３０１〜３０８の種類がパネル種類設定部２２２０ｇによって設定される。すなわち、パネル種類設定部２２２０ｇは、操作部４０１へのユーザの操作に基づいて、第１〜第８床冷暖房パネル３０１〜３０８の種類を設定する。
【０１１２】
また、上記上限水温設定部２２２０ａは、パネル種類設定部２２２０ｇによって設定された第１〜第８床冷暖房パネル３０１〜３０８の種類に基づいて、第１〜第８床冷暖房パネル３０１〜３０８へ流す冷温水の上限水温を設定する。
【０１１３】
一方、上記下限水温設定部２２２０ｂは、パネル種類設定部２２２０ｇによって設定された第１〜第８床冷暖房パネル３０１〜３０８の種類に基づいて、第１〜第８床冷暖房パネル３０１〜３０８へ流す冷温水の下限水温を設定する。
【０１１４】
また、上記上限水温設定部２２２０ａによる上限水温の設定や、下限水温設定部２２２０ｂによる下限水温の設定では、例えば、予め作成されたテーブルが用いられる。
【０１１５】
上記構成の温調システムによれば、パネル種類設定部２２２０ｇが第１〜第８床冷暖房パネル３０１〜３０８の種類を設定すれば、第１〜第８床冷暖房パネル３０１〜３０８へ流れる冷温水の上限水温および下限水温が決まるので、上記第１実施形態よりも使い勝手を良好にすることができる。
【０１１６】
（第３実施形態）
図１１は、この発明の第３実施形態の温調システムの概略構成を示す図である。この図１１では、上記第１実施形態の構成部と同一構成部に、上記第１実施形態の構成部の参照番号と同一参照番号を付している。また、以下の説明でも、上記第１実施形態の構成部と同一構成部に、上記第１実施形態の構成部の参照番号と同一参照番号を付している。
【０１１７】
上記温調システムは床冷暖ユニット３２００を備えている。この床冷暖ユニット３２００は、制御装置の一例としての床冷暖房ユニット用制御装置３２２０を有している点が、上記第１実施形態とは異なる。
【０１１８】
より詳しくは、上記床冷暖房ユニット用制御装置３２２０は、マイクロコンピュータおよび入出力回路などからなり、上限水温設定部３２２０ａと、下限水温設定部３２２０ｂと、上限水温制御部２２０ｃと、下限水温制御部２２０ｄと、中間水温設定部２２０ｅと、中間水温制御部２２０ｆと、運転時間設定部３２２０ｈとを備えている。この上限水温設定部３２２０ａ、下限水温設定部３２２０ｂおよび運転時間設定部３２２０ｈは、それぞれ、ソフトウェアで構成されている。
【０１１９】
また、上記温調システムでは、ユーザが表示切替ボタン４１２、…、右ボタン４１８および左ボタン４１９に所定の操作を行うと、第１〜第８床冷暖房パネル３０１〜３０８の冷暖房の運転時間を示す選択肢(例えば、「連続運転」、「間欠運転」)が表示部４０２に複数表示される。このとき、ユーザが、メニュー／決定ボタン４１５、上ボタン４１６、下ボタン４１７、右ボタン４１８および左ボタン４１９を操作して、上記複数の選択肢の中から一つを選択すると、第１〜第８床冷暖房パネル３０１〜３０８の冷暖房の運転時間が運転時間設定部３２２０ｈによって設定される。すなわち、運転時間設定部３２２０ｈは、操作部４０１へのユーザの操作に基づいて、第１〜第８床冷暖房パネル３０１〜３０８の冷房または暖房の運転時間を設定する。なお、上記「連続運転」とは、２４時間連続で冷暖房運転を行うことを意味する。また、上記「間欠運転」とは、必要時に冷暖房運転を行うことを意味する。
【０１２０】
また、上記上限水温設定部３２２０ａは、運転時間設定部３２２０ｈによって設定された第１〜第８床冷暖房パネル３０１〜３０８の冷暖房の運転時間に基づいて、第１〜第８床冷暖房パネル３０１〜３０８へ流す冷温水の上限水温を設定する。
【０１２１】
一方、上記下限水温設定部３２２０ｂは、運転時間設定部３２２０ｈによって設定された第１〜第８床冷暖房パネル３０１〜３０８の冷暖房の運転時間に基づいて、第１〜第８床冷暖房パネル３０１〜３０８へ流す冷温水の下限水温を設定する。
【０１２２】
また、上記上限水温設定部３２２０ａによる上限水温の設定や、下限水温設定部３２２０ｂによる下限水温の設定では、例えば、予め作成されたテーブルが用いられる。
【０１２３】
上記構成の温調システムによれば、運転時間設定部３２２０ｈが第１〜第８床冷暖房パネル３０１〜３０８の冷暖房の運転時間を設定すれば、第１〜第８床冷暖房パネル３０１〜３０８へ流れる冷温水の上限水温および下限水温が決まるので、上記第１実施形態よりも使い勝手を良好にすることができる。
【０１２４】
（第４実施形態）
図１２は、この発明の第４実施形態の温調システムの概略構成を示す図である。この図１２では、上記第１実施形態の構成部と同一構成部に、上記第１実施形態の構成部の参照番号と同一参照番号を付している。また、以下の説明でも、上記第１実施形態の構成部と同一構成部に、上記第１実施形態の構成部の参照番号と同一参照番号を付している。
【０１２５】
上記温調システムは床冷暖ユニット４２００を備えている。この床冷暖ユニット４２００は、制御装置の一例としての床冷暖房ユニット用制御装置４２２０を有している点が、上記第１実施形態とは異なる。
【０１２６】
より詳しくは、上記床冷暖房ユニット用制御装置４２２０は、マイクロコンピュータおよび入出力回路などからなり、上限水温設定部４２２０ａと、下限水温設定部４２２０ｂと、上限水温制御部２２０ｃと、下限水温制御部２２０ｄと、中間水温設定部２２０ｅと、中間水温制御部２２０ｆと、敷詰率設定部４２２０ｉとを備えている。この上限水温設定部４２２０ａ、下限水温設定部４２２０ｂおよび敷詰率設定部４２２０ｉは、それぞれ、ソフトウェアで構成されている。
【０１２７】
また、上記温調システムでは、ユーザが表示切替ボタン４１２、…、右ボタン４１８および左ボタン４１９に所定の操作を行うと、第１〜第８床冷暖房パネル３０１〜３０８の敷詰率を示す選択肢(例えば、「高」、「中」、「低」)が表示部４０２に複数表示される。このとき、ユーザが、メニュー／決定ボタン４１５、上ボタン４１６、下ボタン４１７、右ボタン４１８および左ボタン４１９を操作して、上記複数の選択肢の中から一つを選択すると、第１〜第８床冷暖房パネル３０１〜３０８の敷詰率が敷詰率設定部４２２０ｉによって設定される。すなわち、敷詰率設定部４２２０ｉは、操作部４０１へのユーザの操作に基づいて、第１〜第８床冷暖房パネル３０１〜３０８の敷詰率を設定する。なお、上記「高」とは、例えば、敷詰率が１００％以下７０％以上であることを意味する。また、上記「中」とは、例えば、敷詰率が７０％未満３０％以上であることを意味する。また、上記「低」とは、例えば、敷詰率が３０％未満０％以上であることを意味する。
【０１２８】
また、上記上限水温設定部４２２０ａは、敷詰率設定部４２２０ｉによって設定された第１〜第８床冷暖房パネル３０１〜３０８の敷詰率に基づいて、第１〜第８床冷暖房パネル３０１〜３０８へ流す冷温水の上限水温を設定する。
【０１２９】
一方、上記下限水温設定部４２２０ｂは、敷詰率設定部４２２０ｉによって設定された第１〜第８床冷暖房パネル３０１〜３０８の敷詰率に基づいて、第１〜第８床冷暖房パネル３０１〜３０８へ流す冷温水の下限水温を設定する。
【０１３０】
また、上記上限水温設定部４２２０ａによる上限水温の設定や、下限水温設定部４２２０ｂによる下限水温の設定では、例えば、予め作成されたテーブルが用いられる。
【０１３１】
上記構成の温調システムによれば、敷詰率設定部４２２０ｉが第１〜第８床冷暖房パネル３０１〜３０８の敷詰率を設定すれば、第１〜第８床冷暖房パネル３０１〜３０８へ流れる冷温水の上限水温および下限水温が決まるので、上記第１実施形態よりも使い勝手を良好にすることができる。
【０１３２】
（第５実施形態）
図１２は、この発明の第５実施形態の温調システムの概略構成を示す図である。この図１２では、上記第１実施形態の構成部と同一構成部に、上記第１実施形態の構成部の参照番号と同一参照番号を付している。また、以下の説明でも、上記第１実施形態の構成部と同一構成部に、上記第１実施形態の構成部の参照番号と同一参照番号を付している。
【０１３３】
上記温調システムは床冷暖ユニット５２００を備えている。この床冷暖ユニット５２００は、制御装置の一例としての床冷暖房ユニット用制御装置５２２０を有している点が、上記第１実施形態とは異なる。
【０１３４】
より詳しくは、上記床冷暖房ユニット用制御装置５２２０は、マイクロコンピュータおよび入出力回路などからなり、上限水温設定部５２２０ａと、下限水温設定部５２２０ｂと、上限水温制御部２２０ｃと、下限水温制御部２２０ｄと、中間水温設定部２２０ｅと、中間水温制御部２２０ｆと、熱損失係数設定部５２２０ｊとを備えている。この上限水温設定部５２２０ａ、下限水温設定部５２２０ｂおよび熱損失係数設定部５２２０ｊ、は、それぞれ、ソフトウェアで構成されている。
【０１３５】
また、上記温調システムでは、ユーザが表示切替ボタン４１２、…、右ボタン４１８および左ボタン４１９に所定の操作を行うと、第１〜第８床冷暖房パネル３０１〜３０８が設置される建物の熱損失係数(Ｑ値)を示す選択肢(例えば、「大」、「中」、「小」)が表示部４０２に複数表示される。このとき、ユーザが、メニュー／決定ボタン４１５、上ボタン４１６、下ボタン４１７、右ボタン４１８および左ボタン４１９を操作して、上記複数の選択肢の中から一つを選択すると、第１〜第８床冷暖房パネル３０１〜３０８の熱損失係数が熱損失係数設定部５２２０ｊによって設定される。すなわち、熱損失係数設定部５２２０ｊは、操作部４０１へのユーザの操作に基づいて、第１〜第８床冷暖房パネル３０１〜３０８の熱損失係数を設定する。なお、上記「大」とは、例えば、熱損失係数が４．２ｗ／ｍ２Ｋ以上であること意味する。また、上記「中」とは、例えば、熱損失係数が４．２／ｍ２Ｋ未満２．７ｗ／ｍ２Ｋ以上であることを意味する。また、上記「小」とは、例えば、熱損失係数が２．７ｗ／ｍ２Ｋ未満であることを意味する。
【０１３６】
また、上記上限水温設定部５２２０ａは、熱損失係数設定部５２２０ｊによって設定された第１〜第８床冷暖房パネル３０１〜３０８の熱損失係数に基づいて、第１〜第８床冷暖房パネル３０１〜３０８へ流す冷温水の上限水温を設定する。
【０１３７】
一方、上記下限水温設定部５２２０ｂは、熱損失係数設定部５２２０ｊによって設定された第１〜第８床冷暖房パネル３０１〜３０８の熱損失係数に基づいて、第１〜第８床冷暖房パネル３０１〜３０８へ流す冷温水の下限水温を設定する。
【０１３８】
また、上記上限水温設定部５２２０ａによる上限水温の設定や、下限水温設定部５２２０ｂによる下限水温の設定では、例えば、予め作成されたテーブルが用いられる。このテーブルを用いた場合、熱損失係数が大きくなるにつれて、上限水温および下限水温が高くなるように設定される。
【０１３９】
上記構成の温調システムによれば、熱損失係数設定部５２２０ｊが第１〜第８床冷暖房パネル３０１〜３０８の熱損失係数を設定すれば、第１〜第８床冷暖房パネル３０１〜３０８へ流れる冷温水の上限水温および下限水温が決まるので、上記第１実施形態よりも使い勝手を良好にすることができる。
【０１４０】
この発明の具体的な実施形態について説明したが、この発明は上記実施形態に限定されるものではなく、この発明の範囲内で種々変更して実施することができる。例えば、上記第１〜第５実施形態を適宜組み合わせたものを、この発明の一実施形態としてもよい。また、上記第１実施形態の変形例のように、第２〜第５実施形態を変更してもよい。
【符号の説明】
【０１４１】
１００  室外機
２００  床冷暖房ユニット
２０１  プレート式水熱交換器
２２０,２２２０,３２２０,４２２０,５２２０  床冷暖房ユニット用制御装置
２２０ａ,２２２０ａ,３２２０ａ,４２２０ａ,５２２０ａ  上限水温設定部
２２０ｂ,２２２０ｂ,３２２０ｂ,４２２０ｂ,５２２０ｂ  下限水温設定部
２２０ｃ  上限水温制御部
２２０ｄ  下限水温制御部
２２０ｅ  中間水温設定部
２２０ｆ  中間水温制御部
２５１  第１熱動弁
２５２  第２熱動弁
２５３  第３熱動弁
２５４  第４熱動弁
２５５  第５熱動弁
２５６  第６熱動弁
２５７  第７熱動弁
２５８  第８熱動弁
３０１  第１床冷暖房パネル
３０２  第２床冷暖房パネル
３０３  第３床冷暖房パネル
３０４  第４床冷暖房パネル
３０５  第５床冷暖房パネル
３０６  第６床冷暖房パネル
３０７  第７床冷暖房パネル
３０８  第８床冷暖房パネル
４００  リモートコントローラ
４０１  操作部
４０２  表示部
４１１  ゾーン選択ボタン
４１２  表示切替ボタン
４１３  運転／停止ボタン
４１４  戻るボタン
４１５  メニュー／決定ボタン
４１６  上ボタン
４１７  下ボタン
４１８  右ボタン
４１９  左ボタン
２２２０ｇ  パネル種類設定部
３２２０ｈ  運転時間設定部
４２２０ｉ  敷詰率設定部
５２２０ｊ  熱損失係数設定部
【図１】
0005999169.tif 000004
【図２】
0005999169.tif 000005
【図３】
0005999169.tif 000006
【図４】
0005999169.tif 000007
【図５】
0005999169.tif 000008
【図６】
0005999169.tif 000009
【図７】
0005999169.tif 000010
【図８】
0005999169.tif 000011
【図９】
0005999169.tif 000012
【図１０】
0005999169.tif 000013
【図１１】
0005999169.tif 000014
【図１２】
0005999169.tif 000015
【図１３】
0005999169.tif 000016